(57)【要約】【課題】メモリカードを収納可能なカーソルコントロール装置を提供する。【解決手段】本体１にはアッパーカバー１１とローアカバー１２とが含まれる。アッパーカバーは可動にローアカバーと組み合わせられ、間には収納空間１３が形成される。コントロール回路板３は収納空間内に設けられカーソルの移動変化を表すことに用いられる。収納ユニット１４は、アッパーカバーの収納空間に面する一面に設けられ、収納ユニットには最少一つの収納溝１４１が備えられ、各収納溝は一つのメモリカード２を置くことに供され、アッパーカバーが開けられると収納溝が現れ、アッパーカバーが閉まると収納溝は隠される。【選択図】図１
0003132845.tif 000002
【実用新案登録請求の範囲】
【請求項１】
本体は、アッパーカバーとローアカバーとを備え、アッパーカバーは、可動にローアカバーと組み合わされ、組み合された間には収納空間が形成され、
コントロール回路版は、収納空間内に設けられ、カーソルの移動変化を表すことに用いられ、
収納ユニットは、アッパーカバーの収納空間に面する一面に設けられ、少なくとも一つの収納溝が備えられ、各収納溝は一つのメモリカードを置くことに供され、
アッパーカバーが開けられると収納溝は現れ、アッパーカバーが閉められると収納溝は隠されることを特徴とするメモリカードを収納可能なカーソルコントロール装置。
【請求項２】
各収納溝は階段状に配置され、
同一方向に向かって順番に延伸することを特徴とする請求項１に記載のカーソルコントロール装置。
【請求項３】
各収納溝の同一側には、それぞれ欠け口が設けられ、
各欠け口にメモリカードが挿入されると前記メモリカードの一端の表面が現れることを特徴とする請求項２に記載のカーソルコントロール装置。
【請求項４】
アッパーカバーは、開閉可能な第一シェード及び第二シェードを備え、
前記第一シェード及び第二シェードは、それぞれ第一枢接軸を有し、アッパーカバーの一端の二つの対応側と互いに枢設され、
収納ユニットは、アッパーカバーの第一枢接軸に近隣する位置に設けられ、
第一シェード及び第二シェードは、互いに背向ける方向へ回されると収納ユニットが露出し、互いに結合して収納ユニットが隠れるまで、対面する方向へ回されることを特徴とする請求項１または請求項３に記載のカーソルコントロール装置。
【請求項５】
ローアカバーの第一枢接軸から離れる一端には、第一嵌付部が設けられ、
第一シェード及び第二シェードの二本の第一枢接軸から離れる一端には、それぞれ第二嵌付部が設けられ、
各第二嵌付部はそれぞれ第一嵌付部と組み合わせ可能であり、第一シェード及び第二シェードが対面する方向へ回され互いに結合され、第一嵌付部に嵌め付けられることを特徴とする請求項４に記載のカーソルコントロール装置。
【請求項６】
アッパーカバーの一端は、少なくとも一本の第二枢接軸をもってローアカバーと互いに枢設され、
アッパーカバーのローアカバーに面する一側には、凹陥部が設けられ、
収納ユニットは、凹陥部内に設けられ、かつ各収納溝の開口は第二枢接軸から離れる一側に面し、
前記収納ユニットは、アッパーカバーからローアカバーへ離れる側へ回されると収納溝が露出し、アッパーカバーはローアカバーへ向かう側へ回されると収納溝が隠されることを特徴とする請求項１または請求項３に記載のカーソルコントロール装置。
【請求項７】
ローアカバーの第二枢接軸から離れる一側には第一固定部が設けられ、
アッパーカバーの第二枢接軸から離れる一側内端で、かつ第一固定部と対応する位置には第二固定部が設けられ、
前記第二固定部は第一固定部と互いに組み合わせられ、かつアッパーカバーとローアカバーとが閉じ合った場合、第二固定部は第一固定部に嵌め付けられることを特徴とする請求項６に記載のカーソルコントロール装置。
【請求項８】
アッパーカバーの両側縁には、少なくとも一つの止め具が設けられ、
ローアカバーの両側縁で、かつ止め具に対応する位置にはそれぞれ止め溝が設けられ、
各止め具と対応する止め溝は互いに組み合わせられ、各止め溝に対応する止め具が入り込むとアッパーカバーは固定され、収納ユニットはアッパーカバーのローアカバーに面する一面に設けられることを特徴とする請求項１または請求項３に記載のカーソルコントロール装置。
【請求項９】
本体はローアカバーと、アッパーカバーと、結合部と、コントロール回路版とを備え、
アッパーカバーは、長さがローアカバーより短く、ローアカバーと互いに結合可能であり、開口が形成され、
結合部は、一側に収納ユニット設け、収納ユニットを設けた一側が、アッパーカバーとローアカバーとが互いに可動に結合して本体が形成され組み合わされた間に形成された収納空間に進入すると本体内で前記収納ユニットが隠され、
コントロール回路板は、収納空間内に設けられカーソルの移動変化を表すことに用いられ、
メモリカードを収納可能であることを特徴とするカーソルコントロール装置。
【請求項１０】
アッパーカバーの結合部に近隣する一端には溝が設けられ、
アッパーカバーの溝内には、スナップが枢設され、前記スナップは溝内で回転可能であり、
結合部のスナップに対応する位置には締め付け溝が設けられ、
締め付け溝とスナップとは互いに組み合わせられ、スナップが締め付け溝に嵌め込まれるとスナップを固定し、スナップの結合部から離れる一端が押さえられると締め付け溝から離脱されることを特徴とする請求項９に記載のカーソルコントロール装置。
【請求項１１】
アッパーカバーの溝内で、かつスナップの結合部から離れる一端の間には、第一スプリングが設けられることを特徴とする請求項１０に記載のカーソルコントロール装置。
【請求項１２】
アッパーカバー内の結合部に面する位置には第二スプリングが設けられ、
前記第二スプリングは、結合部とアッパーカバーとが結合すると圧縮されることを特徴とする請求項１０に記載のカーソルコントロール装置。
【請求項１３】
収納ユニットには、少なくとも一つの収納溝が備えられ、
各収納溝は、一枚のメモリカードを置くことに供されることを特徴とする請求項９に記載のカーソルコントロール装置。
【請求項１４】
各収納溝は階段状に配置され、
同一方向に向かって順番に延伸されることを特徴とする請求項１３に記載のカーソルコントロール装置。
【請求項１５】
収納ユニットは、可動に結合部と互いに連接されることを特徴とする請求項９に記載のカーソルコントロール装置。
【請求項１６】
収納ユニットは、メモリカードの収納ケースであることを特徴とする請求項１５に記載のカーソルコントロール装置。
【請求項１７】
メモリカードの収納ケースは、カバーとケースとから構成されることを特徴とする請求項１６に記載のカーソルコントロール装置。
【請求項１８】
ケースは、少なくとも一枚のメモリカードの収納に供されることを特徴とする請求項１７に記載のカーソルコントロール装置。
【考案の詳細な説明】
【技術分野】
【０００１】
本考案は、カーソルコントロール（cursor control）装置に関するものであり、特にメモリカード（memory card）を収納可能なカーソルコントロール装置の技術に関するものである。
【背景技術】
【０００２】
現在の社会は、すでに勢い盛んに情報が発展する時代に至り、そのため多様のディジタル（digital）電子製品は絶えず開発され日常生活に応用され、このような発展傾向は人々の生活及び仕事で発生するニーズ（needs）に多くの便利さをもたらしている。ところが、各種電子科学技術の絶えない研究発展と進歩に伴い、関連電子製品の実用性と便利性とが使用者のニーズを満足しているかは、消費者が着実に関心を持つ話題である。
現在、携帯電話またはディジタルカメラ（digital camera）等の電子製品を使う場合、ウォードファイル（word file）またはグラフィックファイル（graphic file）の規格が互いに支援しないため、常にウォードファイルまたはグラフィックファイルを許容するディジタル規格に転換し、並びにコンピュータ（computer）製品に記憶させコンピュータ製品で編集を行い、または使用者がコンピュータ製品においてウォードファイルまたはグラフィックファイルを編集製作し、違ったコンピュータ製品においてそのウォードファイルまたはグラフィックファイルを使ってウォードファイルまたはグラフィックファイルの編集を行う場合、それらのファイル（file）を安全に記憶する必要がある。
そこで、業者は便利に携帯できるメモリカードを作り出し、そのメモリカードは軽薄短小で携帯便利であると強調され、かつそのメモリカードを如何なる電子製品と組合せて使用した場合も、メモリカード自身の体積または重さによってその電子製品が大きくなったり、または重くなって使用者の使用上の不便になったりすることはない。ところが、そのメモリカードの体積が軽薄短小であるため、使用者がそのメモリカードを使わないでそれを収納または携帯する場合、往々にしてそのメモリカードが脱落し、または紛失しやすく、またはそのメモリカードを押しつぶし、または毀損することが発生する。
以上の各種原因に鑑み、使用者はメモリカードを収納する機能のある収納箱を使用することになり、その収納箱はメモリカードのケース（case）を保護し、それが押しつぶされないようにし、またはメモリカードの回路に異物が侵入し毀損することがないようにする。ところが、一般市販されるメモリカードの収納箱にはメモリカードを保護する機能を持つが、使用者は他に費用を支払ってその収納箱を購入しなければならず、かつ収納箱はメモリカードを毀損しないように保護するが、使用者が違ったコンピュータ製品を使う場合、メモリカードを携帯することを忘れてしまう欠点は依然解決されず、考案者はコンピュータ製品と関連する周辺製品によってメモリカードを収納及び保護し、かつその周辺製品を携帯すると同時にメモリカードを携帯することができ、更にそのメモリカードの収納箱を購入する費用を節減することができ、使用者が違ったコンピュータ製品を使用するときにメモリカードを忘れる欠点を解決し、それをもって一般市販のメモリカードの収納箱に取って代わる。
また、現在一般市場に見られるカーソルコントロール装置（例えばカーソルマウス（cursor mouse）の外形は人間の掌で持てる大きさに設定され、そのカーソルコントロール装置内には周知のコントロール（control）回路及び現有のエレメント（element）が設置されているほか、多くの利用できる空間があり、もしその空間を充分に利用してメモリカードと結合できれば、使用者が違ったコンピュータ製品を使用するとき、身につけて携帯されるカーソルコントロール装置によって安全にメモリカードを収納し、メモリカードの体積は小さいため紛失しやすいことにはならない。それ故、如何にしてこのようなカーソルコントロール装置を開発し、上述のとおり現有の欠点を解決することは、すなわち本考案がここで解決しようとする問題である。
【考案の開示】
【考案が解決しようとする課題】
【０００３】
考案者はメモリカードが軽薄短小で紛失しやすく、かつ他に収納箱を使用しなければならない欠点があることに鑑み、多くの試みと改修を経た後、遂にメモリカードを収納できるカーソルコントロール装置を開発した。本考案の目的は、カーソルコントロール装置が可動的にメモリカードを収納でき、メモリカードの軽薄短小の特性によりカーソルコントロール装置内において身につけて携帯でき、メモリカードを忘れてしまったり、または紛失してしまったりしないところにある。
【課題を解決するための手段】
【０００４】
カーソルコントロール装置は、互いに組み合わされるアッパーカバー（upper cover）及びローアカバー（lower cover）から形成され、そのアッパーカバーとローアカバーとが組み合せられたその間には収納空間が形成され、アッパーカバーの収納空間に面する一面には収納ユニット（unit）が設けられ、その収納ユニットには最少一つの収納溝が具えられ、各収納溝は一枚のメモリカードを置くことに供され、アッパーカバーを可動に開けると収納ユニットは現れ、または閉めると収納ユニットは隠れ、このように、使用者がカーソルコントロール装置を身につけて携帯すると、カーソルコントロール装置内にメモリカードを保護及び収納でき、メモリカードが軽薄短小であることによって紛失することがなくなる。
本考案の目的、形状、構造、装置の特徴及び機能に対して、更に認識及び了解するため、実施例を取り上げ、図面と合わせて次のとおり詳細に説明する。
【考案を実施するための最良の形態】
【０００５】
本考案は、メモリカードを収納できるカーソルコントロール装置に係るものであり、それには本体１が含まれ、本体１はアッパーカバー１１及びローアカバー１２を組み合わせてなり、アッパーカバー１１とローアカバー１２が組み合った後その間には収納空間１３が形成され、本体１の収納空間１３内にはコントロール回路板３が設けられ、コントロール回路板３はそれぞれ発光エレメント（ＬＥＤ光源）３１、ビデオキャプチャー（Video Capturer）３２、信号処理ユニット（Digital Signal Processor, DSP）３３及びロジック（logic）介面（Logic layer）３４から構成され、その主要は発光エレメント３１から発生した光源を用いてプリズム（prism）３５と一体に形成されたモルドレンズ（mould lens）３６に通し、並びにローアカバー１２の底面の接触面に照射し、それによって投射された接触面の影像はちょうどよくビデオキャプチャー３２に取り込まれ、更に信号処理ユニット３３及びロジック介面３４をもって取り込まれた接触面の影像に対して移動速度データ（data）の転換を行い、かつその信号処理ユニット３３はコントロール回路板３を経由してローアカバー１２の外へ伝送線４１が延伸され、その伝送線４１は可動にコネクター（connecter、例えばＵＳＢコネクターまたはＰＳ２コネクター、図面には示さない）をもってコンピュータのメインボード（main board、図面には示さない）に接続され、それによって転換された移動速度データを伝送し、並びにコンピュータのメインボードにカーソル（cursor）の移動変化を表す。
【０００６】
アッパーカバー１１の収納空間１３に面する一面には収納ユニット１４が設けられ、その収納ユニット１４には一つまたは複数の収納溝１４１が具えられ、それら収納溝１４１は階段状に現れ同一方向に向かって順番に延伸し、各収納溝１４１は一枚のメモリカード２を置くことに供され、アッパーカバー１１は可動に開け閉めでき、アッパーカバー１１が開いたとき、アッパーカバー１１には収納溝１４１の開口が現れ、使用者は便利にメモリカード２を順番に収納溝１４１内に置くこと、または各収納溝１４１内からメモリカード２を取り出すことができ、その後、使用者が本体１においてアッパーカバー１１を閉めると、各収納溝１４１は本体１内に隠され、このように、使用者がカーソルコントロール装置を身につけて携帯すれば、カーソルコントロール装置内のメモリカード２を保護及び収納することができ、メモリカード２が軽薄短小であることによって紛失しない。
【０００７】
再び図１を参照する。本考案の第一実施例において、アッパーカバー１１には可動に開閉できる第一シェード（shade）１１１及び第二シェード１１２が含まれ、その第一シェード１１１及び第二シェード１１２はそれぞれ第一枢接軸５１１をもってアッパーカバー１１の一端の二つの対応側と互いに枢設され、収納ユニット１４はアッパーカバー１１の第一枢接軸５１１に近隣する位置に設けられ、それによって第一シェード１１１及び第二シェード１１２は互いに背向ける方向へ回され収納ユニット１４を露出することができ、または互いに結合して収納ユニット１４を隠すまで対面する方向へ回されることができ、ローアカバー１２の伝送線４１から離れる一端には第一嵌付部５２１が設けられ、第一シェード１１１及び第二シェード１１２の二本の第一枢接軸５１１から離れる一端にはそれぞれ第二嵌付部５２２が設けられ、それら第二嵌付部５２２はそれぞれ第一嵌付部５２１と組み合わせることができ、並びに第一シェード１１１及び第二シェード１１２がそれぞれ対面する方向へ回され互いに結合したときは第一嵌付部５２１に嵌め付けられ、それによってカーソルコントロール装置を携帯または使用する場合、第一シェード１１１及び第二シェード１１２はアッパーカバー１１に固定される。
【０００８】
図３を参照する。本考案の第二実施例において、アッパーカバー１１の一端は最少一本の第二枢接軸５１２をもちローアカバー１２と互いに枢設され、アッパーカバー１１のローアカバー１２に面する一側には凹陥部１０３が設けられ、収納ユニット１４は凹陥部１０３内に設けられ、かつ各収納溝１４１の開口は第二枢接軸５１２から離れる方向に面し、使用者がアッパーカバー１１を各第二枢接軸５１２を軸心として、ローアカバー１２へ離れる方向へ回せば、使用者は直接収納溝１４１からメモリカード２を挿入または抜き出すことができ、その後、使用者は各第二枢接軸５１２を軸心として、アッパーカバー１１をローアカバー１２に面する方向へ回し、並びにローアカバー１２と互いに閉じ合わせ収納ユニット１４を隠すことができる。この他、ローアカバー１２の第二枢接軸５１２から離れる一端内側には第一固定部５３１が設けられ、アッパーカバー１１の第二枢接軸５１２から離れる一端内側で、かつ第一固定部５３１と互いに対応する位置には第二固定部５３２が設けられ、その第二固定部５３２は第一固定部５３１と互いに組み合せられ、かつアッパーカバー１１とローアカバー１２とを互いに閉じ合わせた場合、第二固定部５３２は第一固定部５３１に嵌め付けられ、それによってカーソルコントロール装置を携帯または使用する場合、アッパーカバー１１はローアカバー１２に固定される。
【０００９】
図４を参照する。本考案の第三実施例において、アッパーカバー１１の両側縁には少なくとも一つの止め具５４１が設けられ、ローアカバー１２の両側縁で、かつ止め具５４１に対応する位置にはそれぞれ止め溝５４２が設けられ、各止め具５４１と対応する止め溝５４２は互いに組み合わせられ、アッパーカバー１１は止め具５４１をもって対応する止め溝５４２内に押し込んで固定され、それによってローアカバー１２を嵌め付け、収納ユニット１４はアッパーカバー１１のローアカバー１２に面する一面に設けられ、収納ユニット１４には一つまたは多数個の収納溝１４１が備えられ、このように、使用者がメモリカード２を収納または抜き出す場合、先ず掌でアッパーカバー１１両方の外側を押さえ、それによって止め具５４１は対応する止め溝５４２から離脱でき、アッパーカバー１１はローアカバー１２から離れて収納ユニット１４の使用が提供される。
【００１０】
本考案の第四実施例は、メモリカードを収納できるカーソルコントロール装置に係るものであり、図５に示すように、それには本体７が含まれ、その本体７はアッパーカバー７１、結合部５５及びローアカバー７２から構成され、並びにその間には収納空間７３が形成され、本体７の収納空間７３内にはコントロール回路板８が設けられ、コントロール回路板８にはそれぞれ発光エレメント８１、ビデオキャプチャー８２、信号処理ユニット８３及びロジック介面８４が設けられ、そのカーソルコントロール装置の主要は、発光エレメント８１から発生した光源を用いてプリズム８５と一体に形成されたモルドレンズ８６に通し、並びにローアカバー７２底部の接触面に照射し、それによって投射された接触面の影像はちょうどよくビデオキャプチャー８２に取り込まれ、更に信号処理ユニット８３及びロジック介面８４により取り込まれた接触面の影像に対して移動速度データの転換を行い、かつその信号処理ユニット８３はコントロール回路板８を経由してローアカバー７２の外へ伝送線４２が延伸され、その伝送線４２は可動にコネクター（例えばＵＳＢコネクターまたはＰＳ２コネクター、図面には示さない）をもってコンピュータのメインボード（図面には示さない）に接続され、それを転換された移動速度データの伝送に用い、並びにコンピュータのメインボードにカーソルの移動変化を表す。
【００１１】
再び図５を参照する。結合部５５の一側には可動に収納ユニット７４が設けられ、アッパーカバー７１の長さはローアカバー７２より短いため、アッパーカバー７１とローアカバー７２とが互いに結合すると本体７に開口が形成され、結合部５５は可動にアッパーカバー７１とローアカバー７２と互いに結合でき、並びにアッパーカバー７１とローアカバー７２とが互いに結合したとき、収納ユニット７４は収納空間７３に進入して本体７内に隠され、収納ユニット７４は結合部５５に設けられるので、結合部５５が本体７から離れると収納ユニット７４は結合部５５から現れ、使用者はメモリカード２を収納ユニット７４内に置くことができ、またはメモリカード２を収納ユニット７４から取り出すことができる。
【００１２】
アッパーカバー７１の結合部５５に近隣する一端には溝５６０が設けられ、アッパーカバー７１の溝５６０内にはスナップ（snap）５６１が枢設され、そのスナップ５６１は溝５６０内で回ることができ、アッパーカバー７１の溝５６０内で、かつスナップ５６１の結合部５５から離れる一端の間には第一スプリング（spring）５６３が設けられ、結合部５５のスナップ５６１に対応する位置には締め付け溝５６２が設けられ、締め付け溝５６２とスナップ５６１とは互いに組み合わせられ、スナップ５６１は締め付け溝５６２に進入して締め付け溝５６２に固定され、またはスナップ５６１の結合部５５から離れる一端が押さえられると締め付け溝５６２から離脱できる。この他、アッパーカバー７１内の結合部５５に面する位置には第二スプリング５６４が設けられ、その第二スプリング５６４は結合部５５とアッパーカバー７１が結合すると圧縮される。
【００１３】
結合部５５、アッパーカバー７１及びローアカバー７２が結合すると、結合部５５は第二スプリング５６４を圧縮するが、スナップ５６１は締め付け溝５６２と互いに嵌め付けられているため、結合部５５は圧縮された第二スプリング５６４に弾み出すことなく、使用者が結合部５５をアッパーカバー７１から離脱する場合、スナップ５６１を押して結合部５５の一端から離し、第二スプリング５６４の圧縮された弾力は結合部５５をアッパーカバー７１及びローアカバー７２から弾み離し、このように、使用者はメモリカード２を収納ユニット７４内に置くこと、または収納ユニット７４から取り出すことができる。
【００１４】
再び図５を参照する。本考案の第四実施例において、収納ユニット７４には最少一つの収容溝７４１が具えられ、収容溝７４１が一つだけでない場合、それら収容溝７４１は階段状に配置され、かつそれら収容溝７４１は結合部５５に背向ける方向から順番に延伸され、各収容溝７４１は一枚のメモリカード２を置くことに供される。
【００１５】
再び図６を参照する。本考案の第五実施例において、収納ユニット７４はメモリカードの収納ケースであり、そのメモリカードの収納ケースは結合部５５と互いに離れることができ、そのメモリカードの収納ケースはケース７４３及びカバー（cover）７４４から構成され、ケース７４３には少なくとも一枚のメモリカード２を収納でき、メモリカード２をメモリカードの収納ケースに置き、カバー７４４とケース７４３とは組み合わせられ、メモリカード２はメモリカードの収納ケースに収納される。
【００１６】
再び図１を参照する。上述の実施例において、各収納溝１４１の同一側にはそれぞれ欠け口１２３が設けられ、各欠け口１２３は一枚のメモリカード２の挿入に供され、メモリカード２が各収納溝１４１に挿入されると、そのメモリカードの一端の表面が現れ、使用者はより便利にそのメモリカード２を抜き出すことができる。再び図２、図５に示すとおり、アッパーカバー１１、７１の伝送線４１、４２に近隣する一端には押し付け可能な二枚のカーソルキー（cursor key）６１、９１及び回転可能のローラ（roller）６２、９２が設けられ、アッパーカバー１１、７１とローアカバー７２とが組み合わせられると、各カーソルキー６１、９１はそれぞれコントロール回路板３、８の各カーソルキー６１、９１と対応するキー（key）６３、９３に面し、各カーソルキー６１、９１が押されると、コントロール回路板３、８はコンピュータのメインボードに対して互いに組み合わせられた第一信号を発信し、ローラ６２、９２は可動に二枚のカーソルキー６１、９１の間に設けられ、その一側は本体１、７内においてコントロール回路板３、８の制御歯車（図面には示さない）と噛み合い、ローラ６２、９２が回転すると、コントロール回路板３、８はローラ６２、９２が回転する程度によってコンピュータのメインボードに対して組み合わせられた第二信号を発信するが、その制御歯車及びそれらのキー６３、９３のコントロール回路板３、８における構造及び技術原理はすべて周知の技術であるため、本考案はここで余計な説明をしない。
【００１７】
以上に述べたのは、本考案の幾つかの具体的で最適な実施例であり、本考案の構造特徴はそれに局限されず、この技術を熟知するものが本考案の領域内において、軽易に思い及べる変化または改修は、すべて本案の実用新案登録請求の範囲に含まれるものとする。
【図面の簡単な説明】
【００１８】
【図１】本考案の第一実施例におけるカーソルコントロール装置を示す斜視図である。
【図２】本考案の第一実施例におけるカーソルコントロール装置のコントロール回路板を示す断面図である。
【図３】本考案第二実施例におけるカーソルコントロール装置を示す説明図である。
【図４】本考案第三実施例におけるカーソルコントロール装置を示す説明図である。
【図５】本考案の第四実施例におけるカーソルコントロール装置を示す説明図である。
【図６】本考案の第五実施例におけるカーソルコントロール装置を示す説明図である。
【符号の説明】
【００１９】
１：本体、１０３：凹陥部、１１：アッパーカバー、１１１：第一シェード、１１２：第二シェード、１２：ローアカバー、１２３：欠け口、１３：収納空間、１４：収納ユニット、１４１：収納溝、２：メモリカード、３：コントロール回路板、３１：発光エレメント、３２：ビデオキャプチャー、３３：信号処理ユニット、３４：ロジック介面、３５：プリズム、３６：モルドレンズ、４１：伝送線、４２：伝送線、５１１：第一枢接軸、５１２：第一枢接軸、５２１：第一嵌付部、５２２：第二嵌付部、５３１：第一固定部、５３２：第二固定部、５４１：止め具、５４２：止め溝、５５：結合部、５６０：溝、５６１：スナップ、５６２：締め付け溝、５６３：第一スプリング、５６４：第二スプリング、６１：カーソルキー、６２：ローラ、６３：キー、７：本体、７１：アッパーカバー、７２：ローアカバー、７３：収納空間、７４：収納ユニット、７４１：収納溝、７４３：ケース、７４４：カバー、８：コントロール回路板、８１：発光エレメント、８２：ビデオキャプチャー、８３：信号処理ユニット、８４：ロジック介面、８５：プリズム、８６：モルドレンズ、９１：カーソルキー、９２：ローラ、９３：キー
【図１】
0003132845.tif 000003
【図２】
0003132845.tif 000004
【図３】
0003132845.tif 000005
【図４】
0003132845.tif 000006
【図５】
0003132845.tif 000007
【図６】
0003132845.tif 000008